【事件の表示】
　特許第３１５１５４７号「筆記具用水性インキ組成物」の請求項１に係る特許に対する特許異議の申立てについて、次のとおり決定する。
【結　論】
　訂正を認める。
　特許第３１５１５４７号の請求項１に係る特許を維持する。
【理　由】
１．手続の経緯
　本件特許第３１５１５４７号の発明は、平成４年９月７日に出願され、平成１３年１月２６日にその特許の設定登録がなされ、その後、株式会社サクラクレパスによる特許異議の申立てがあり、平成１４年１月１１日付けで取消理由が通知され、その指定期間内である平成１４年３月２５日に訂正請求がなされたものである。
　
２．訂正の適否
　
（１）訂正の内容
　
　特許請求の範囲の［請求項１］における「含有してなる筆記具用水性インキ組成物」を「含有してなり、また、全組成中に前記有機酸修飾ヘテロ多糖体を０．０１乃至０．５重量％含有してなる筆記具用水性インキ組成物」に訂正する。
　
（２）訂正の目的の適否、新規事項の有無及び拡張・変更の存否
　
　上記の訂正は、全組成中の有機酸修飾ヘテロ多糖体の含有量を特定したもので、明細書の段落［０００４］の記載ならびに実施例に基づくものであるから、特許請求の範囲の減縮を目的としたものであって、この訂正は新規事項の追加には該当せず、実質上特許請求の範囲を拡張又は変更するものではない。
　
（３）むすび
　
　したがって、上記訂正は、特許法第１２０条の４第３項で準用する平成６年法律第１１６号による改正前の特許法第１２６条第１項ただし書、第２項及び第３項の規定に適合するので、当該訂正を認める。
　
３．特許異議申立てについての判断
　
（１）本件発明
　
　上記２．で示すように上記訂正が認められるから、本件の請求項１に係る発明（以下、「本件発明」という。）は、下記のとおりのものである。
「 必須成分として (イ)着色剤、 (ロ)グルコース／ガラクトース／ピルビン酸又はその塩／こはく酸又はその塩／酢酸がモル比５〜８／１〜２／０．５〜２／０．５〜２／０．５〜１で構成されている基本単位からなる平均分子量約１００万乃至約８００万の有機酸修飾ヘテロ多糖体、及び (ハ)水と水溶性有機溶剤を含み、水が５０重量％以上を占める水性媒体を含有してなり、また、全組成中に前記有機酸修飾ヘテロ多糖体を０．０１乃至０．５重量％含有してなる筆記具用水性インキ組成物。」
　
（２）異議申立の理由の概要
　
　異議申立人は、甲第１号証〜甲第４号証を提示し、訂正前の本件請求項１に係る発明は、甲第１号証の宣誓供述書に示す本件特許発明についての追試の結果によると、実施例２，４及び６のインキについてはサクシノグリカンが高粘度化し顔料ペーストが溶解または分散できないのでインキを調整することができず、本件明細書は特許法第３６条第４項の規定を満たしていない、また、特許請求の範囲において、実施することができないものを含んでいるから、特許法第３６条第５項第２号違反である、と主張している。
　さらに、本件特許発明は、多糖類としてキサンタンガムやウェランガムを用いる従来技術のインキ組成物に比較して、優れた効果を奏するものではないから、従来技術が記載されている甲第３号証及び甲第４号証に基いて当業者が容易に発明をすることができたものであり特許法第２９条第２項の規定に違反している、として本件特許の取り消しを求めている。
（なお、甲第２号証は本件特許公報であって、本件特許を取り消す為に提出された証拠ではない。）
　
（３）甲号証に記載の発明
　
　当審の取消理由に引用した、栗原徳正の作成した宣誓供述書（甲第１号証）には、本件特許発明の追試がなされ、顔料ペーストの調整結果が表１に示され、実施例１乃至６，比較例１乃至４，及び実施例５においてガム類をサクシノグリカンに代えて従来技術で用いられているキサンタンガム及びウェランガムを用いた場合を比較例５，６として、各試験項目について試験をした結果が表２，表３に示されている。
　また、特公昭６４−８６７３号公報（甲第３号証）には、「キサンタンガムを０．２０〜０．４５重量％含有することを特徴とする水性ボールペン用インキ組成物」が記載され、特開昭４−２１４７８２号公報（甲第４号証）には、「ウェランガムを０．０１〜４．０重量％含むことを特徴とする水性ボールペン用インキ組成物」に係る発明が記載され、
「本発明で使用する上記一般式（１）で表される水溶性天然高分子多糖類（一般名ウェランガム）は、シュードプラスチック性、曳糸性及び潤滑性を有している。従って、該高分子多糖類を用いることにより、インキ組成物はシュードプラスチック性を持ち、適度な粘性及び流出性が与えられる。すなわち、インキタンク内においてインキ粘度が高いので、ペン先からインキ漏れすることはないが、筆記時にボールの回転により剪断力が加わりインキ粘度が低下するため、インキの流出性が良い。」（段落［００１０］）と説明されている。また、「高分子多糖類（１）の代わりにキサンタンガム（比較例１）、ラムザンガム（比較例２）又はローカストビーンガム（比較例３）を使用したインキ組成物はインキの流出性にやや難がある」ことが記載されている。（段落［００３１］）
　
（４）対比・判断
　
ｉ）特許法第３６条第４項、５項違反について
　
　上記訂正により、サクシノグリカンの使用量が特定され、宣誓供述書によるとインキが調整できないとされる部分が、本件発明から削除されたので、特許法第３６条第４項、５項違反は解消した。
　
ii）特許法第２９条第２項違反について
　
　甲第３号証及び甲第４号証には、サクシノグリカンについての記載はなく、しかもサクシノグリカンを、甲第３号証及び甲第４号証記載の多糖類であるキサンタンガムやウェランガムに代えてインキ分野において使用できることを示唆する証拠はない。
　たしかに、甲第４号証には、ウェランガムについて剪断力が加わると粘度が低下するとの特性は記載されているが、本件発明で使用しているサクシノグリカンに同様の特性があることが本件出願前に公知でないかぎり、本件発明の効果が甲第３、４号証のインクに比べて同等程度の効果であったとしても、多糖類であるということだけではサンタンガムやウェランガムに代えてサクシノグリカンを用いることが容易であるとはいえない。
  したがって、本件発明は甲第３号証及び甲第４号証に基いて当業者が容易に発明をすることができたものとは認められない。
　
４．むすび
　
　以上のとおり、特許異議申立の理由及び証拠をもっては、本件特許を取り消すことはできない。
　また、他に本件特許を取り消すべき理由を発見しない。
  よって、結論のとおり決定する。
【異議決定日】
平成１４年１１月８日（２００２．１１．８）
【訂正の要旨】
訂正の要旨
　特許請求の範囲の［請求項１］における「含有してなる筆記具用水性インキ組成物」を「含有してなり、また、全組成中に前記有機酸修飾ヘテロ多糖体を０．０１乃至０．５重量％含有してなる筆記具用水性インキ組成物」に訂正する。
（５４）【発明の名称】
筆記具用水性インキ組成物
（５７）【特許請求の範囲】
　【請求項１】　必須成分として（イ）着色剤、（ロ）グルコース／ガラクトース／ピルビン酸又はその塩／こはく酸又はその塩／酢酸がモル比５〜８／１〜２／０．５〜２／０．５〜２／０．５〜１で構成されている基本単位からなる平均分子量約１００万乃至約８００万の有機酸修飾ヘテロ多糖体、及び（ハ）水と水溶性有機溶剤を含み、水が５０重量％以上を占める水性媒体を含有してな
り、また、全組成中に前記有機酸修飾ヘテロ多糖体を０．０１乃至０．５重量％含有してなる
【発明の詳細な説明】
　【０００１】
　【産業上の利用分野】
　本発明は筆記具用水性インキ組成物に関し、詳細には特にボールペンに適する水性インキに関する。
　【０００２】
　【従来の技術】
　従来よりボーンペンは高粘度の油性インキを適用した油性ボールペンと低粘度の水性インキを適用した水性ボールペンが主流であったが、近年水性ボールペン用に高粘度水性インキが提案されてきている。
　それら高粘度水性インキは弱い剪断力がかけられている限りでは高粘性を維持しているが、ボールペンでの筆記時のボールの回転により生じる剪断力のような高剪断力がかけられた場合、低い粘性を呈するものである。
　前記提案の例として、特公昭６４−８６７３号では水性インキの高粘性化のためにキサンタンガムの適用を開示しており、特開平４−２１４７８２号ではウェランガムの適用を開示している。
　しかしながら、これらガム類を適用した水性インキでは着色剤である顔料の分散安定性を長期間維持するのは難しく、それらインキを用いたボールペンでの経時後の筆記時には筆跡の淡色化や逆に過度の濃色化現象が生じたり、ひどい場合には顔料の凝集によるペン先でのインク詰まりを起こして筆記ができないことさえある。
　【０００３】
　【発明が解決しようとする課題】
　本発明は長期間の経時後も着色剤の分散状態又は溶解状態に悪影響を及ぼすことのない高粘度水性インキを提供しようとするものである。
　【０００４】
　【課題を解決するための手段】
　本発明は必須成分として（イ）着色剤、（ロ）グルコース／ガラクトース／ピルビン酸又はその塩／こはく酸又はその塩／酢酸がモル比５〜８／１〜２／０．５〜２／０．５〜２／０．５〜１で構成されている基本単位からなる、平均分子量約１００万乃至約８００万の有機酸修飾ヘテロ多糖体（以下、サクシノグリカンと略称する）、及び（ハ）水と水溶性有機溶剤を含み、水が５０重量％以上を占める水性媒体を含有してなる筆記具用水性インキ組成物を提案するものである。
　前記サクシノグリカンは前記モル比のグルコースとガラクトースからなる、側鎖を有するヘテロ多糖体を骨格とし、側鎖末端の単糖の４位と６位の炭素にピルビン酸がケタール結合しており、酢酸及びこはく酸の１ケのカルボキシル基が構成単糖のフリーの水酸基とエステル結合した形態であり、ピルビン酸及びこはく酸のフリーのカルボキシル基はナトリウム、カリウム又はカルシウム塩の形態であってもよい。これらサクシノグリカンはインキ組成中０．０１乃至８重量％、好ましくは０．１乃至４重量％の範囲で用いられる。
　着色剤には通常水性インクに適用される顔料及び染料が用いられる。
　顔料としてはカーボンブラック、酸化鉄等の無機顔料、アゾ系、アンスラキノン系、縮合ポリアゾ系、チオインジゴ系、金属錯塩、フタロシアニン系、ペリノン・ペリレン系、ジオキサジン系、キナクリドン系有機顔料があげられる。
　染料としては、エオシン（Ｃ．Ｉ．４５３８０）、アシッドフロキシン（Ｃ．Ｉ．４５４１０）、エリスロシン（Ｃ．Ｉ．４５４３０）、タートラジン（Ｃ．Ｉ．１９１４０）、サンセットイエローＦＣＦ（Ｃ．Ｉ．１５９８５）、アシッドローダミン（Ｃ．Ｉ．４５１００）、アシッドバイオレット６Ｂ（Ｃ．Ｉ．４２６４０）、ブリリアントブルーＦＣＦ（Ｃ．Ｉ．４２０９０）、ウォーターブラックＲ５１０（Ｃ．Ｉ．５０４２０）等の酸性染料、ダイレクトファーストイエローＧＣ（Ｃ．Ｉ．２９０００）、バイオレットＢＢ（Ｃ．Ｉ．２７９０５）ダイレクトスカイブルー５Ｂ（Ｃ．Ｉ．２４４００）、ブラックＧ（Ｃ．Ｉ．１３５２５５）等の直接染料、ローダミンＢ（Ｃ．Ｉ．４５１７０）、ローダミン６ＧＤＮ（Ｃ．Ｉ．４５１６０）、メチルバイオレット（Ｃ．Ｉ．４２５３５）ビクトリアブルーＢＯＨ（Ｃ．Ｉ．４２５９５）等の塩基性染料があげられる。これら着色剤はインキ組成中１乃至２５重量％、好ましくは２乃至１５重量％の範囲で用いられる。
　水性媒体は水と水溶性有機溶剤を含み、水が５０重量％以上を占める。
　前記水溶性有機溶剤としてはエチレングリコール、ジエチレングリコール、プロピレングリコール、チオジエチレングリコール、グリセリン、トリエタノールアミン等があげられ、それらはペン先でのインキの乾燥抑制、筆跡の耐水性の付与または染料の溶解助剤等の目的に応じて選択され、インキ組成中５乃至３０重量％の範囲で用いられる。
　その他、水性媒体にはインキの流動性の向上や顔料の分散安定化のための各種界面活性剤、筆跡の滲み防止や顔料の保護コロイドとしての目的でポリビニルピロリドン、ポリビニルアルコール、水溶性アクリル樹脂、アラビアガム等の水溶性樹脂、潤滑剤、保湿剤、防腐剤及び防錆剤等が必要に応じて添加される。
　【０００５】
　【作用】
　前記組成の水性インキは、ゲル状であり、激しい攪拌により流動性を呈する。従って、高粘度油性インキを適用した油性ボールペンと同様の機構、即ちインク吸蔵体、弁機構、ペン芯（インキ貯蔵部から過度に押し出されたインキを一時的に貯留し、空気交替を調節する調節体）等の部材を要しないペン先とインキ貯蔵部としてのパイプからなる簡単な機構のボールペン用として利用される。
　【０００６】
　【実施例】
　実施例１〜６及び比較例１〜４の試料インキを調製し、直後（初期）及び２ケ月後の分散顔料の粒子径の測定及び各試料インキを前記油性ボールペンと同様の機構のボールペンに充填し、直後に筆跡をとった後、ペン先下向き２ケ月放置後に筆記試験を行った。
　分散顔料の粒子径は液相沈降法を基本原理とする光透過法により測定された。
　試料インキは、所定量の水中に攪拌しつつサクシノグリカン（比較例インキではキサンタンガムまたはウェランガム）を徐々に加え、均質に溶解後、着色剤、水溶性有機溶剤及びその他の添加剤を投入し、均質に溶解または分散させることにより調製された。
　表１に実施例インキの組成及び試験結果を示し、表２に比較例インキの組成及び試験結果を示す。
　【表１】
　【表２】
　【０００７】
　表中の組成の数値は総て重量部で表されており、原料の内容は注番号に従って以下に説明する。
　・　カーボンブラック１５重量％、ポリビニルアルコール４重量％、残部水からなる水性顔料分散体
　・　キナクリドンレッドＥ（Ｃ．Ｉ．ピグメントレッド２０９）１４重量％、ポリビニルアセタール１２重量％、残部水からなる水性顔料分散体
　・　インダンスロンブルー（Ｃ．Ｉ．ピグメントブルー６０）２０重量％、アニオン性界面活性剤４重量％、残部水からなる水性顔料分散体
　・　カーボンブラック３５重量％、ノニオン性界面活性剤５重量％、残部水からなる水性顔料分散体
　・　商品名ウォーターブラックＲ５１０（Ｃ．Ｉ．５０４２０）（オリエント化学工業株式会社）
　・　商品名レオザン（三晶株式会社），平均分子量約６００万のサクシノグリカン
　・　商品名プライサーフＭ２０８Ｂ（第一工業製薬株式会社）
　・　商品名プロキセルＸＬ−２（英国ＩＣＩ社）
　・　商品名ベルゾンクリスタル１２０（大和化成株式会社）
　尚、２ケ月放置後の筆記試験結果の項の記号の意味は以下のとおり。
　　○：初期の筆跡と変わらず、良好な筆記ができた。
　　△：初期に比較して過度に濃い筆跡を与え、筆記感も不良。
　　×：筆記不能（顔料が凝集してペン先のインキ流出路を塞いだ）。
　【０００８】
　【発明の効果】
　表１及び表２の結果にみられるとおり、キサンタンガムやウェランガムを用いた高粘度水性インキである比較例インキは、経時により分散顔料の粒子径が大きくなっており、これは分散顔料が互いに凝集して粗大粒子を形成していることを示し、それによりボールペンでの筆記不良を生起しているが、本発明の水性インキでは経時後も分散顔料の粒子径は初期の粒子径と実質的に変化なく、安定な分散状態を維持しており、ボールペンでの経時後の筆記状態も初期と変わらず良好である。